Podtech/llm-jp-corpus-v4-ja_patent huggingface dataset:
(57)【要約】      （修正有）【課題】ノートパソコン作業を中断せず、また、コードやケーブル等を取り外すことなく、ノートパソコンが占有していた机上の中央スペースが確保され、書類等作業を容易に行うことが出来るノートパソコン縦置き装置を提供する。【解決手段】ノートパソコン縦置き装置であって、ノートパソコン１を使用しない時は、ノートパソコン前方部（操作側）７ａ側の縦置き装置基部２を上部に持ち上げ、縦置き装置基部２にヒンジ接続されている支え板３が垂直状態になることにより、ノートパソコンが縦置き状態となる。ノートパソコンを使用する時は、支え板３を縦置き装置基部２側に押し寄せることにより、瞬時に、ノートパソコンが元の水平状態となる。【選択図】図２
2019061309.tif 000002
【特許請求の範囲】
【請求項１】
ノートパソコンを使用しない時は、ノートパソコン前方部（操作側）（７ａ）側の縦置き装置基部（２）を上部に持ち上げ、縦置き装置基部（２）にヒンジ接続されている支え板（３）が垂直状態になることにより、ノートパソコンが縦置き状態となり、ノートパソコンを使用する時は、支え板（３）を縦置き装置基部（２）側に押し寄せることにより、瞬時に、ノートパソコンが元の水平状態となる縦置き装置基部（２）及び支え板（３）から構成されたノートパソコン縦置き装置。
【発明の詳細な説明】
【技術分野】
【０００１】
本発明は、ノートパソコン機能を保持したまま、コードやケーブル等を取り外すことなく、机上に縦置き保持させるためのノートパソコン縦置き装置に関するものである。
【背景技術】
【０００２】
パソコン専用デスクを使用せず、狭い机上でノートパソコン作業と書類等作業を交互に行う場合、書類等作業を行う時は、ノートパソコン作業を一旦中断し、コードやケーブル等を取り外して机の片隅に移動する。再度、ノートパソコン作業を行う時は、ノートパソコンを机上中央に移動し、コードやケーブル等を再度挿入するという行為を繰り返すため、作業効率が非常に悪かった。
【０００３】
従来、ノートパソコンは、使用する時も使用しない時も机上に水平状態に置かれ、机上スペースを占有していた。そのため、ノートパソコンを机上に縦置きするためのノートパソコン用スタンド等が考案されたが（特許文献）、これらは、机に固定されたものか、あるいは、机上に基板体が置かれているものであり、机上での書類等作業が容易ではなかった。また、構造も複雑であり高価であった。
【先行技術文献】
【特許文献】
【０００４】
【特許文献１】特開２００２−１１６８４４
【特許文献２】特開２００３−４４１６５
【特許文献３】特開２００３−３４５４６２
【発明の概要】
【発明が解決しようとする課題】
【０００５】
そのために次のような問題点があった。
（イ）ノートパソコンを使用しない時でも、机上を占有し、机上スペースの有効利用が出来なかった。
（ロ）ノートパソコンを移動する時、ノートパソコンからコードやケーブル等を取り外す必要があった。
（ハ）再度、ノートパソコンを使用する時は、ノートパソコンを机上中央に移動し、コードやケーブル等を再度取り付ける必要があった。
（ニ）これまでの特許文献は、構造が複雑であり、且つ高価であった。
本発明は、以上の問題点を解決するためになされたものである。
【課題を解決するための手段】
【０００６】
しかし、本発明のノートパソコン縦置き装置を使用することにより、ノートパソコン作業を中断せず、また、コードやケーブル等を取り外すことなく、ノートパソコンを倒立状態に立てることが出来るため、ノートパソコンが占有していた机上の中央スペースが確保され、書類等作業を容易に行うことが出来る。
なお、再度、ノートパソコン作業を行う時は、コードやケーブル等を再度挿入するという行為をせず、瞬時に、元の水平状態に戻すことが出来るため、狭い机上スペースを有効に活用することが出来る。
【発明の効果】
【０００７】
本発明は、次のような効果がある。
（イ）ノートパソコンを使用しない時は、机上占有面積を減らして、机上面の有効利用度を高めることが出来る。
（ロ）ノートパソコンを縦置きする場合でも、ノートパソコンからコードやケーブル等を取り外す必要がない。
（ハ）再度、ノートパソコンを使用する時は、支え板（３）を縦置き装置基部（２）側に押し寄せることにより、瞬時に、ノートパソコンを元の水平状態に戻すことが出来る。
（ニ）非常に簡単な構造であり、安価に造ることが出来る。
【図面の簡単な説明】
【０００８】
【図１】ノートパソコン使用時の斜視図である。
【図２】ノートパソコン縦置き装置表面（上部面）の斜視図である。
【図３】ノートパソコン縦置き装置裏面（下部面）の斜視図である。
【図４】ノートパソコン縦置き装置の立面図である。
【発明を実施するための形態】
【０００９】
本発明の実施形態について、図を参照しながら説明する。図１は、ノートパソコン使用時の斜視図である。図２は、ノートパソコン縦置き装置表面（上部面）の斜視図である。図３は、ノートパソコン縦置き装置裏面（下部面）の斜視図である。図４は、ノートパソコン縦置き装置の立面図である。
【００１０】
図１は、ノートパソコン使用時の状態で、図面手前がノートパソコン前方部（操作側）（７ａ）、図面奥がノートパソコン後方部（ヒンジ側）（７ｂ）を表している。この状態では、ノートパソコンの下部に、縦置き装置基部（２）、更にその下部に支え板（３）が水平状態で重なっている。
【００１１】
ノートパソコンを閉じて、ノートパソコン前方部（操作側）（７ａ）側の縦置き装置基部（２）を上部に持ち上げると、縦置き装置基部（２）と基部・支え板接続ヒンジ（４）で接続されている支え板（３）が、バネ（５）により、図３のように前方に開き、図４のように垂直状態となるため、縦置き装置基部（２）が倒立状態となり、縦置き装置基部（２）に持たせ掛けているノートパソコンがノートパソコン後方部（ヒンジ側）（７ｂ）を下にした状態で縦に自立し、机上中央部にスペースが確保される。
【００１２】
図３の状態で、支え板（３）を縦置き装置基部（２）の方向に押し寄せることにより、瞬時に、ノートパソコンを元の水平状態に戻すことが出来、再度、図１のようにノートパソコンが使用可能状態となる。
【００１３】
図２のように、ノートパソコンが縦置き状態時でも、ノートパソコン位置調整部品ａ（６ａ）により、ノートパソコン後方部（ヒンジ側）（７ｂ）と机上との間隔を調整することが出来るため、コードやケーブル等をノートパソコン後方部（ヒンジ側）（７ｂ）から接続するようなノートパソコンでも、コードやケーブル等を取り外す必要はない。
【符号の説明】
【００１４】
１  ノートパソコン
２  縦置き装置基部
３  支え板
４  基部・支え板接続ヒンジ
５  バネ
６ａ  ノートパソコン位置調整部品ａ
６ｂ  ノートパソコン位置調整部品ｂ
７ａ  ノートパソコン前方部（操作側）
７ｂ  ノートパソコン後方部（ヒンジ側）
【図１】
2019061309.tif 000003
【図２】
2019061309.tif 000004
【図３】
2019061309.tif 000005
【図４】
2019061309.tif 000006
(57)【要約】      （修正有）【課題】算数に於ける分数及び分数の加減算、通分等を理解させることが可能な分数を理解する為の教材を提供する。【解決手段】１／３＝４／１２、１／４＝３／１２ということが理解でき、加減算においての通分する意味が分かるようになり、例えば、１／３＋１／４＋１／６＝４／１２＋３／１２＋２／１２＝９／１２＝３／４というふうに理解出来る。【選択図】図３
2019061215.tif 000002
【特許請求の範囲】
【請求項１】
円形の板材を１２分割し、前後左右にずれにくく組合せられる様にした物である。
【発明の詳細な説明】
【発明の概要】
【発明が解決しようとする課題】
【０００１】小学生に於いて、算数の苦手な子は概ね分数の授業から分からなくなってしまう子供が多いと考えられるので、分数を簡単に理解する事が出来るようにする為の教材である。
【問題を解決するための手段】
【０００２】円形の板材を１２分割する事により、１／１、１／２、１／４等々の色々な分数を理解する事が出来る。
【発明の効果】
【０００３】１２分割した本品を使うことで、１／２と２／４、３／６、６／１２が同じである事が理解出来るようになる。このことから［割合］も理解し易くなる。
【０００４】１２分割したものを２〜３セット使用することで、分数の加減算での通分することの意味も容易に理解させることが出来る。
【０００５】例えば１／３＋１／４が７／１２になるという事を簡単に理解する事が出来るようになる。
【図面の簡単な説明】
【０００６】
【図１】  円形の板状の物を１２分割した物で１／１，１２／１２を表わす
【図２】  図１を２つに分けた状態。これで１／２及び６／１２を表す。
【図３】  図１を３つに分けた状態。これで１／３及び４／１２を表す。
【図４】  図１を４つに分けた状態。これで１／４及び３／１２を表す。
【図１】
2019061215.tif 000003
【図２】
2019061215.tif 000004
【図３】
2019061215.tif 000005
【図４】
2019061215.tif 000006
(57)【要約】【課題】発明家を育てたり、発明をしたりする情報を獲得する産業を富ます方法。【解決手段】滲みオーラを念じたりするやり方やさらに高度なやり方について。【選択図】図１
2019213436.tif 000002
【特許請求の範囲】
【請求項１】
発明出来る（悉曇梵字の様な）滲み交信術
【請求項２】
発明させる、と云った視点
【請求項３】
手動神通力
【発明の詳細な説明】
【技術分野】
【０００１】本発明は、誰にでも発明家としてのアドと発明の情報を獲得させる。必ず、神物質と交信出来る。真言密教、（公序良俗違反につき、不掲載）の霊力が使える。
【背景技術】
【０００２】近年、真言密教等では、神通力が有った。【０００３】図の様な、オーラを滲ませ、情報を得る方法。この情報を政府等が配布し、色々な人が世界へ発明（一億人）、産業が儲かる。
【発明の開示】
【発明が解決しようとする課題】
【０００４】従来では、発明家としてのアド、発明の情報を当てられる様に簡単に取得する方法が無かった。手動神通力が無かった。速読が有れば良かったので、出来る人が少なかった。【０００５】本発明は、滲ますよりもさらに高度な情報を掴んだりともする一連のやり方である。さらに高度には、消滅、プリンターロールペーパー、試験管アイスキャンデー喉、タバスコ、をイメージし、供養し、行ずる、と云った方法等にさらににもについてである。
【課題を解決するための手段】
【０００６】オーラ滲み、８方向光りシャイニングキリク、試験管アイスキャンデー、タバスコ、等のやり方である。発明有益情報が貰える。発明と、発明家に成るための教育情報。
【発明を実施するための最良の形態】
【０００７】図の様な滲みオーラ法の基本について。内語の聞き方について。
【図面の簡単な説明】
【０００８】
【図１】滲ませるやり方。
【符号の説明】
【０００９】Ａ  人体
Ｂ  滲んで居るオーラ
【図１】
2019213436.tif 000003
(57)【要約】      （修正有）【課題】プランター等を使用するとき、小さな世界なのですぐ土が乾く欠点があり、留守にするときなど心配である。プランターを二層にし、中に水が溜まるようにした二層式プランターを提供する。【解決手段】プランターを二層にし、内側のプランター２の底の部分に出水口５、外側のプランター３の底の部分に水が溜まるようにし側面に排水口４をつけ、脱着を可能にした二層式プランター。【選択図】図１
2019213514.tif 000002
【特許請求の範囲】
【請求項１】
、内側プランターの底に複数の小穴の出水口を、外側のプランターには側面に同じように小穴の排水口を作り二層にしたプランター。
【請求項２】
脱着できるようにし、水が外側プランターの底に溜まるようにしたプランター
【請求項３】
既存のプランターにも、外側に同じように造形物を付けるプランター。
【発明の詳細な説明】
【技術分野】
【０００１】本発明はプランターを２層にし、間を空洞にしたもので内側のプランターの底の部分に小穴複数をあけ水が出るようにし、外側のブランタ〜の底に水がたまるようにし、また側面には、やはり水が出るように排水口をつける。
【背景技術】
【０００２】従来プランターは小さくできているので、すぐ土が乾いてしまう。
【発明の概要】
【発明が解決しようとする課題】
【０００３】プランターの土の渇きをなくそうとすると    、如雨露やホースで散水・ペットボトルの栓のところに穴をあけそれを土に刺しこんで少量の水を出す。しかしこれでは用事などで数日出かけるとき、旅行に出かけるとき大変だった。本発明は以上の問題点を解決するためになされたものである。
【課題を解決するための手段】
【０００４】２層にしたプランターを今までと同じように使っても、中に水がある程度たまっているので数日間は土が乾くことはない、また、このプランターは内側と外側を外すことができるので中の水を変えてから、出かけることもできるし既存のプランターの外側に造形したものを付けても同じように使える。
【発明の効果】
【０００５】従来既存のプランター等は土がすぐ乾くので、出かけるときとか体調が悪いときとかは散水するのは大変だった。本発明は以上の問題点を解決するためになされたものである。
【図面の簡単な説明】
【０００６】
【図１】本発明の組み立てた状態の断面図
【図２】本発明の平面図
【図３】本発明のプランター（２）の断面図
【図４】本発明のプランター（３）の断面図
【発明を実施するための形態】
【０００７】以下本発明の実施の形態を説明する。
（イ）  プランター（２）の底の部分に出水口を作る。プランター（３）の側面に複数の小穴をあけて排水口を作る。。
（ロ）プランター（３）の底の部分に水がたまり、毎日水撒きをしなくてもよくなる。
（ハ）二層にした事により、脱着できるようになり余分な水はそのまま外して捨てることができる。
本発明は以上のような構造である
本発明を使用するときは、縁（１）と一対になったプランター（２）とプランター［３］を重なるように組み立てる。プランター（２）底の部分に無数の小穴出水口（５）が又（３）の側面にも排水口（４）を作ってある。これにより水がプランター（３）の底に溜まり、余分な水は［４］より排水するし、自分の手で捨てることもできる。
【符号の説明】
【０００８】１縁、２内側プランター、３外側プランター、４外側プランター排水口、５内側プランター出水口、６貯水部
【図１】
2019213514.tif 000003
【図２】
2019213514.tif 000004
【図３】
2019213514.tif 000005
【図４】
2019213514.tif 000006
(57)【要約】【課題】  登り坂は推進力を得るためにＩ字型のストレートグリップストックが使用しやすく、下り坂は体重保持とバランスとりの為に、Ｔ字型グリップストックが使いやすいので、二種類グリップ切り換え機能を持つストックを提供する。【解決手段】  ストックのグリップとシャフトを、逆回転させることによって、ボルトを緩めてグリップの角度変更して、締めこんでグリップ角度固定の出来るストックを特徴とする。【選択図】図２
2019213830.tif 000002
【特許請求の範囲】
【請求項１】
ストックのシャフトとグリップの接続部に角度変更を可能にしたジョイント部を設けた。
【発明の詳細な説明】
【技術分野】
【０００１】本発明はストックのグリップタイプの変更を可能としたものである。
【背景技術】
【０００２】Ｔ字型グリップのストックとＩ字型グリップのストックが存在する。
【発明の概要】
【発明が解決しようとする課題】
【０００３】登り坂は推進力を得るために、Ｉ字型のストレートグリップストックが使用しやすく、下り坂は体重保持とバランスとりの為に、Ｔ字型グリップストックが使いやすいので、グリップを切り替え可能にしたものである。
【課題を解決するための手段】
【０００４】ストックのシャフト（２）上端内部にロングナット（６）を埋め込み、ハンドル（１）先端外周に滑り止め溝をつけて、内部溝に締め付けアイボルト（５）を支点ピン（４）でセットし、滑り止め溝付きブッシュ（３）を圧縮するべくねじ込むことによってシャフトとグリップを固定する。
【発明の効果】
【０００５】グリップの簡単切り替えができるので疲労の減少と安全性が向上する。
【図面の簡単な説明】
【０００６】
【図１】  Ｉ字型側面図
【図２】  Ｔ字型側面図と接続部分解図
【発明を実地するための形態】
【０００７】ストックのグリップとシャフトを逆回転させることによって緩めて角度変更、締めてブッシュを圧縮しグリップとシャフトを固定する。
【符号の説明】
【０００８】１  ストックのグリップ
２  シャフト
３  ブッシュ
４  支点ピン
５  アイボルト
６  埋め込みロングナット
【図１】
2019213830.tif 000003
【図２】
2019213830.tif 000004
(57)【要約】【課題】水筒をはじめとする、従来の主に液体の搬送・携行を目的とした蓋つき容器は、形状が円筒形であるために、特にビジネス鞄等の薄型かつ四角を基調とした鞄には収納がしづらかったり、フルフラット（一様に平面）を特徴としていないために隙間なく重ねたり並べたりする事ができず、本棚等に隙間なく液体を備蓄する事ができなかったり、段ボール箱等での搬送に際し隙間なく効率よく梱包・運搬する事ができなかった。【解決手段】本体と蓋の嵌合を工夫する事により、蓋をした状態においても六面全てがフルフラット（一様に平面）となり、鞄への収納が容易であったり、隙間なく本棚等に液体を備蓄できたり、段ボール箱等での搬送に際し隙間なく効率よく運搬する事ができる。【選択図】図２
2019213832.tif 000002
【特許請求の範囲】
【請求項１】
本体と蓋を嵌合させた時に六面が全てフルフラット（一様に平面）となる、直方体構造の、主に液体を封入するための容器である
【請求項２】
前記の嵌合は、本体に蓋と同様形状の窪みを設ける事により実現することを特徴とする請求項１記載の主に液体を封入するための容器である
【発明の詳細な説明】
【技術分野】
【０００１】  この発明は、主に液体を封入して搬送・携行をする事を主目的とした蓋つき容器（主に水筒）に関する。
【背景技術】
【０００２】従来の水筒は一般的に、円筒形の形状である。また、円筒形以外の形状においては、実開平０２−１１９０２９号公報に見られるような直方体構造の物が存在するが、フルフラット（一様に平面）を主目的とした物ではなく、以下に示す当発明が実現する課題解決を満たさない。
【先行技術文献】
【特許文献】
【０００３】
【特許文献１】実開平０２−１１９０２９号公報
【発明の概要】
【発明が解決しようとする課題】
【０００５】  しかしながら、以上の技術によれば、形状が円筒形であるために、特にビジネス鞄等の薄型かつ四角を基調とした鞄には収納がしづらかったり、フルフラット（一様に平面）を特徴としていないために隙間なく重ねたり並べたりする事ができず、本棚等に隙間なく液体を備蓄する事ができなかったり、段ボール箱等での搬送に際し隙間なく効率よく梱包・運搬する事ができなかった。
そこで、この発明は、蓋をした状態においても六面全てがフルフラット（一様に平面）となり、鞄への収納が容易であったり、隙間なく本棚等に液体を備蓄できたり、段ボール箱等での搬送に際し隙間なく効率よく梱包・運搬する事のできる容器を提供することを課題とする。
【課題を解決するための手段】
【０００６】  以上の課題を解決するために、第一発明は、直方体形状であり、蓋をした状態で六面全てがフルフラット（一様に平面）となることを特徴とする蓋つき容器（主に水筒）である。
【発明の効果】
【０００７】  第一発明によれば、蓋をした状態においても六面全てがフルフラット（一様に平面）となり、鞄への収納が容易であったり、隙間なく本棚等に液体を備蓄できたり、段ボール箱等での搬送に際し隙間なく効率よく梱包・運搬する事ができる。
【図面の簡単な説明】
【０００８】
【図１】この発明の一実施形態を示す斜視図である。
【図２】この発明の一実施形態において、本体から蓋を外した状態を示す斜視図である
【図３】従来技術を示す斜視図である。
【発明を実施するための形態】
【０００９】  この発明の一実施形態を、図１および図２に示す。
容器本体および蓋は、ＡＢＳ、ＰＰ等の樹脂製またはステンレス等の金属製であり、本体には液体の入排出口を有する。また、本体には、蓋の厚み、形状と同じ窪みを有する。両者を嵌合させる事で六面全てがフルフラット（一様に平面）な容器を構成する
【００１０】「実施形態の効果」
この実施形態によれば、本体と蓋の嵌合形状によりフルフラット（一様に平面）となる。したがって、鞄への収納が容易であったり、隙間なく本棚等に液体を備蓄できたり、段ボール箱等での搬送に際し隙間なく効率よく梱包・運搬する事ができる。
「他の実施形態」
図１および図２の実施形態では、液体の入排出口の形状が四角になっており、それに即した蓋の形状および嵌合方法となっているが、他の実施形態では、入排出口は円をはじめとした他形状でも良いし、取り付け箇所も本体いずれの箇所でも良い。また蓋の形状や嵌合方法についても、前述の形状に即したものでも良い。
【符号の説明】
【００１０】１  容器本体            ２  液体の入排出口
３  蓋
【図１】
2019213832.tif 000003
【図２】
2019213832.tif 000004
【図３】
2019213832.tif 000005
(57)【要約】【課題】夏季の炎天下にバイクを運転する時ヘルメット内の温度が高くなる。【解決手段】夏季の炎天下にバイクを運転する時に気密性の高いヘルメット内の温度が高くなってしまうのでヘルメットに当たる直射日光を遮る目的で日除け板を取り付ける。ヘルメットに元から付いているシールド取付機構又はスナップボタンを流用してシールド一体型の日除け板又は、つば付き日除け板を取り付けることで直射日光がヘルメットに当たるのを防ぎ日除け板とヘルメットの間に空気層を設けているので日除け板の熱がヘルメットに直接伝わらず走行時は風により空気層の空気が流動するので熱がこもらず日除け板の下のヘルメットには日陰ができるのでヘルメット内の温度が高くなるのを防ぐ。【選択図】図１
2019044303.tif 000002
【特許請求の範囲】
【請求項１】
ヘルメットに元から付いているシールド取付機構又はスナップボタンを流用して取り付けることができるシールドの後部にシールドと一体成型により日除け部を備えたシールド一体型の日除け板。
【請求項２】
ヘルメットに元から付いているスナップボタンを流用して取り付けることができるつば付き日除け板。
【発明の詳細な説明】
【技術分野】
【０００１】
本発明は、夏季にヘルメット着用時、ヘルメット内の温度の上昇を抑えることを目的とする日除け板に関する。
【背景技術】
【０００２】
夏季におけるバイク用ヘルメットの暑さ対策としてはヘルメットの額部に通風口を設けたり、シールドをサングラスのように黒又は茶色に着色して日差しを防ぐ方法などが知られている。
なお、本願発明に関連する公知技術として次の特許文献１を挙げることができる。
【先行技術文献】
【特許文献】
【０００３】
【特許文献１】特開2007-51397号広報
【発明の概要】
【発明が解決しようとする課題】
【０００４】
しかしながら、上述した方法では不十分であり、夏季において炎天下にバイクを運転する場合、乗用車の様にエアコンがなく、ヘルメットを着用し両手はハンドルを握るため塞がっているので日傘を差したり、帽子を被ることができない。特にヘルメットの中は気密性が高いため温度が上昇しやすく、熱中症になる危険性がある。
【課題を解決するための手段】
【０００５】
本発明は、ヘルメット内の温度の上昇を抑える目的でヘルメット上部に日除け板を取り付ける。
【発明の効果】
【０００６】
日除け板はヘルメット上部に直射日光を受けるのを防ぎ日除け板の下に日陰を作る。さらに日除け板とヘルメットの間に空気層を設けているため日除け板の熱がヘルメットに直接伝わらず、走行中は空気層の空気も風によって流動するので熱気がこもらず冷却効果を高めることができる。
【図面の簡単な説明】
【０００７】
【図１】本発明に係るフルフェイス型のヘルメットにシールド一体型の日除け板を取り付けた状態の概略斜視図である。
【図２】本発明に係る日除け板とヘルメットと空気層の位置関係を示した断面図である。
【図３】本発明に係るオープンフェイス型のヘルメットにシールド一体型の日除け板を取り付けた状態の概略斜視図である。
【図４】本発明に係るスナップボタンで取り付けるシールド一体型の日除け板のみを斜め下方から見た概略斜視図である。
【図５】本発明に係るオープンフェイス型のヘルメットに、つば付きの日除け板を取り付けた状態の概略斜視図である。
【発明を実施するための形態】
【０００８】
以下、本発明の実施の形態を図面に基づき詳細に説明する。
図１において、日除け板１及び２はシールドの材料を用いて一体成型されている。ヘルメットに元から付いているシールド取付機構３を流用して日除け板を取り付けるので走行中に外れる心配がなく安全である。日除け板のシールド部１は一般にミラーシールド呼ばれるもので外側は銀色の鏡面仕上げになっている。内側はサングラスの様に黒色又は茶色の色が付いた透明色になっていてシールドを下げても視界を確保できる。日除け板の後部２は外側に銀色又は白色の塗料を塗り完全に日光を遮断又は反射できる状態である。
夏季においては図１の様に日除け板１及び２をヘルメット上部を包む様な位置に持っていきヘルメットが直射日光によって熱くなるのを防ぐ。
【０００９】
図２において、日除け板の断面図５とヘルメットの断面図６の間に空気層７があるので日除け板が直射日光により熱くなっても熱がヘルメットに直接伝わらない。
【００１０】
図３において、ヘルメットの額部にスナップボタンが付いているタイプの場合、これを流用して日除け板を取り付ける。日除け板８及び９は日除け板1及び２と同様に一体成型されていて、シールド部８はミラーシールド、後部９の外側は銀色又は白色の塗料が塗られている。
【００１１】
図４において、スナップボタン１０は日除け板にスリットが入っていて左右にスライドできる。これによりスナップボタン間のピッチが違うヘルメットであっても取り付け可能である。ウレタン樹脂１１は日除け板の内側後方に接着されている。これにより日除け板とヘルメットの間に空気層を確保できるとともに、走行中に日除け板がバタつくのを抑えることができる。図1及び図５の日除け板にも同様のウレタン樹脂が付いている。
【００１２】
図５において、図３と同様にヘルメットに元から付いているスナップボタンを流用して取り付けたつば付き日除け板１２である。シールドがないので材料は安価なプラスチックでよい。日除け板全体の外側とつば部の上面には銀色又は白色の塗料が塗られている。
【符号の説明】
【００１３】
１  シールド一体型日除け板のシールド部（ヘルメットにシールド取付機構が付いているタイプ）
２  シールド一体型日除け板の後部（ヘルメットにシールド取付機構が付いているタイプ）
３  シールド取付機構
４  フルフェイス型ヘルメット
5  日除け板の断面図
６  ヘルメットの断面図
７  空気層
８  シールド一体型日除け板のシールド部（ヘルメットにスナップボタンが付いているタイプ）
９  シールド一体型日除け板の後部（ヘルメットにスナップボタンが付いているタイプ）
１０  スナップボタン
１１  ウレタン樹脂
１２  つば付き日除け板
【図１】
2019044303.tif 000003
【図２】
2019044303.tif 000004
【図３】
2019044303.tif 000005
【図４】
2019044303.tif 000006
【図５】
2019044303.tif 000007
(57)【要約】【課題】  油・熱・火等の環境に強く、小動物や水の通り道を確保できる道路構造体を提供する。【解決手段】  基部及び筒部を有し、前記筒部の内部に装填材が装填された埋設ブロック又はこれを複数配列して埋設した道路構造体又は地下構造体とした。【選択図】  図２
2019044385.tif 000002
【特許請求の範囲】
【請求項１】
基部及び筒部を有し、前記筒部の内部に装填材が装填されたことを特徴とする埋設ブロック。
【請求項２】
前記装填材が、硬化性装填材である請求項１の埋設ブロック。
【請求項３】
前記硬化性装填材が、軽量骨材コンクリート又は硬質ウレタンフォームである請求項２の埋設ブロック。
【請求項４】
基部及び筒部を有し、前記筒部の内部に装填材が装填された埋設ブロックを複数配列したブロック構造体であって、路面下に敷設されたブロック積層体を有することを特徴とする道路構造体。
【請求項５】
基部及び筒部を有し、前記筒部の内部に装填材が装填された埋設ブロックを複数配列したブロック構造体であって、地下に敷設されたブロック積層体を有することを特徴とする地下構造体。
【発明の詳細な説明】
【技術分野】
【０００１】
本発明は、軽量盛土、地盤改良材等として使用できる埋設ブロック及び当該埋設ブロックを用いた道路構造体及び地下構造体に関する。
【背景技術】
【０００２】
従来、軟弱地盤の改質や浮力対策等の目的で建築物や道路の下にＥＰＳブロックを配設するＥＰＳ工法が知られている（特許文献１）。例えば、低湿地帯等での排水性確保や冠水対策等のため、盛土の上に道路等が敷設されるが、盛土重量による地盤沈下を防ぐため、盛土内に複数のＥＰＳブロックを配列したものが埋設される。
【先行技術文献】
【特許文献】
【０００３】
【特許文献１】特開平５−３４６０２４号公報
【発明の概要】
【発明が解決しようとする課題】
【０００４】
しかし、ＥＰＳブロックは、油や火に弱い問題がある。また、ＥＰＳ工法による盛土をして道路を敷設すると、小動物が移動できなくなり、河川が遮られる問題がある。
【課題を解決するための手段】
【０００５】
本願には、下記発明が開示される。
＜構成１＞
基部及び筒部を有し、前記筒部の内部に装填材が装填されたことを特徴とする埋設ブロック。
＜構成２＞
前記装填材が、硬化性装填材である構成１の埋設ブロック。
＜構成３＞
前記硬化性装填材が、軽量骨材コンクリート又は硬質ウレタンフォームである構成２の埋設ブロック。
＜構成４＞
基部及び筒部を有し、前記筒部の内部に装填材が装填された埋設ブロックを複数配列したブロック構造体であって、路面下に敷設されたブロック積層体を有することを特徴とする道路構造体。
＜構成５＞
基部及び筒部を有し、前記筒部の内部に装填材が装填された埋設ブロックを複数配列したブロック構造体であって、地下に敷設されたブロック積層体を有することを特徴とする地下構造体。
【図面の簡単な説明】
【０００６】
【図１】図１は、本発明の１実施形態の埋設ブロック１０を示す。
【図２】図２は、本発明の１実施形態の道路構造体２０の断面図及び側面図を示す。
【図３】図３は、ブロック１０の積層例を示す。
【図４】図４は、他の態様のブロック１０Ａ，１０Ｂを示す。
【発明を実施するための形態】
【０００７】
図１は、本発明の１実施形態の埋設ブロック（以下、単に「ブロック」という）１０を示す。ブロック１０は、基部１１と基部１１から突起する筒部１２を有する。筒部１２は、基部１１側が開放した中空形状であり、内部に中空部１３を有する。中空部１３には、装填材１４が装填されている。ブロック１０は、基部１１や筒部１２の底面に突起１５ａ／開口１５ｂ等の形態の連結構造を有するとよい。
【０００８】
ブロック１０は、油・熱・火等の環境に強いプラスチックポリプロピレン等のプラスチックで形成できる。装填材１４は、中空部１３に隙間が生じないように充填するのが好ましい。装填材１４は、硬化性の装填材とすれば、流動状態の装填材１４を中空部１３に流し込んでから硬化できるので、装填材１４の成形や中空部１３への装填が容易になる。装填材１４は、軽量骨材コンクリートや硬質ウレタンフォーム等の耐油性・耐火性・耐熱性材料が好ましい。
【０００９】
図２は、本発明の１実施形態の道路構造体２０の断面図及び側面図を示す。道路構造体２０は、複数のブロック１０を配列したブロック構造体２１を有する。ブロック１０は、好ましくは、上下前後左右に配列される。隣接するブロック同士は、連結構造により連結するとよい。
【００１０】
ブロック構造体２１の上にコンクリート等からなる床板２２を配設し、その上に道路２３を敷設するとよい。ブロック構造体２１の側面は、覆土２４で覆うとよい。覆土２４の適宜個所に窓２５を設けてもよい。
【００１１】
道路構造体２０では、地盤沈下対策や軟弱地盤の改質の面でＥＰＳの軽量盛土と同様の効果を有する。それに加え、道路構造体２０では、ブロック構造体２１がプラスチックのブロック１０で構成されているため、油・熱・火等の環境に強い。また、地震に強く、レベル２に対応可能であり、装填材１４の補強により耐荷重性など強度に優れる。装填材１４が筒部１２に収容されているので環境に晒され難く、劣化に強い。
【００１２】
装填材１４に軽量骨材コンクリートや硬質ウレタンフォームを使用すれば、油・熱・火・酸・アルカリ等に一層強くなる。骨材量や発泡倍率で補強度合を調節できる点も便利である。筒部１２の周りに空間が形成されるため小動物や水の通り道を確保できる。通り道のために必要に応じて窓２５を設ければよい。図３のように筒部１２を向かい合わせてブロック１０を積層すれば、筒部１２周りの空間が大きくなる。
【００１３】
図２の例では、地面１の上にブロック構造体２１を敷設しているが、地面１を掘って溝を作り、その溝の中にブロック構造体２１の一部（例えば、下半分）又は全部を埋めてもよい。図２の例は、ブロック構造体２１の上に道路２３を敷設した道路構造体であるが、建物等の構造物を敷設して地下構造体としてもよい。
【００１４】
図４は、他の態様のブロック１０Ａ，１０Ｂを示す。ブロック１０Ａは４本の筒部１２Ａを有し、ブロック１０Ｂは外筒１６の内側に筒部１２Ｂを有する。筒部１２Ｂは、基部から突起する外筒１６の底面１６ａから上に延びている。装填材１４（不図示）は、筒部１２Ａ，１２Ｂの内部の中空部に装填されている。ブロック１０Ａ，１０Ｂの場合も上記と同様の効果を達成する。ブロック１０Ｂは、動物等の通り道確保のため、外筒１６の側面等を窓抜き加工するとよい。
【００１５】
上記実施形態に記載したブロックや道路構造体やその要素の寸法、形状、配置、個数、材料等は例示であり、他の態様も可能である。
【符号の説明】
【００１６】
１・・・地面
１０，１０Ａ，１０Ｂ・・・ブロック
１１・・・基部
１２，１２Ａ，１２Ｂ・・・筒部
１３・・・中空部
１４・・・装填材
１５ａ・・・突起
１５ｂ・・・開口
１６・・・外筒
２０・・・道路構造体
２１・・・ブロック構造体
２２・・・床板
２３・・・道路
２４・・・覆土
２５・・・窓
【図１】
2019044385.tif 000003
【図２】
2019044385.tif 000004
【図３】
2019044385.tif 000005
【図４】
2019044385.tif 000006
(57)【要約】      （修正有）【課題】従来の衿付きＴシャツは頭からかぶり着用は老人に困難ですので従来の形を残して、腕からも楽着出来る考案。【解決手段】図示の胸開き１と切り開き２と連結して通常のワイシャツの様に腕から楽着可能の考案。【選択図】図１
2019044315.tif 000002
【特許請求の範囲】
【請求項１】
図示の胸開き１  と  切り開き２  と連結して  従来のワイシャツの様に腕から着用できる考案。
【発明の詳細な説明】
【技術分野】
【０００１】夏期に着用の衿付きＴシャツに関する。
【背景技術】
【０００２】本案は頭からも前割れシャツで腕から着用出来る考案である。
【発明の概要】
【発明が解決しようとする課題】
【０００４】老人は頭から着用は背を曲げ腰に負担が掛かり、腕からの着用の方が楽で、その楽を得る為、本来の衿付きＴシャツ形を残し胸開け１に連結して下部まで切り開き２  を設けて、前割れ開きして腕からの着用が可能にした、着方２法方の衿付きＴシャツである。
【課題を解決するための手段】
【０００５】図示の従来のＴシャツの  胸開き１  に連結して下部に  切り開き２  を設けて、止め開けはボタン、ホック  等で可能にする。
【発明の効果】
【０００６】従来の衿付きＴシャツの形を好む人も従来の形を残しての考案であるから，好みに合い、腕からの着用で楽着出来る。
【図面の簡単な説明】
【０００７】
【図１】正面図
【図２】側面図
【発明を実施するための形態】
【０００８】発明の概要  で説明の様に従来の形を残し，胸開け１  に連結して  切り開け２を設けての考案あるから、衿付きＴシャツ好みに楽着できる。
【符号の説明】
【０００９】  Ｉ  胸開き        ２  切り開き
【図１】
2019044315.tif 000003
【図２】
2019044315.tif 000004
(57)【要約】      （修正有）【課題】簡単に裾を足首または、ふくらはぎぐらいの位置で留める事により、下ろしたズボン等の裾が床に着かないように留め、足のどの部分の位置にでも合わせる事が出来る、裾止めを提供する。【解決手段】帯状の布からなる本体１の一端に輪３を設け、本体のもう一端にはフック５を設け、帯状の布は伸縮性のある素材を用い、前記輪を複数設けることで、巻きつける太さに合せて利用可能とし、前記帯状の布に替えて、帯状のゴムを利用してもよい。フックを掛ける輪の位置を変える事により、長さを変える事が出来、脚のどの位置にも固定することが可能となる。【選択図】図１
2019044314.tif 000002
【特許請求の範囲】
【請求項１】
帯状の布からなる本体の一端に輪を設け、前記本体のもう一端にはフックを設けることを特徴とする裾留め具。
【請求項２】
前記帯状の布に伸縮性のある布、または伸縮性のある帯状のゴムとしたことを特徴とする請求項１に記載の裾留め具。
【請求項３】
前記輪を複数設けることを特徴とする請求項１または２に記載の裾留め具。
【発明の詳細な説明】
【技術分野】
【０００１】本発明は、トイレに行った時、ズボン等の裾が床や便器に着かないように防ぐ裾留め具に関するものである。
【背景技術】
【０００２】従来、裾を折り曲げ短くして汚れるのを防いだり、手で裾を持ったりなどしていたが、手間が掛かったり手から離れてしまうことがあった。また、生地の素材によっては、折り曲げてもすべり落ちるため、床に着いてしまう恐れがある。また、手で裾を持っていても、トイレットペーパーを取る際は、手が裾から離れてしまう場合もある。
裾を留めるための方法として、面ファスナーを利用した場合には、ズボン等の生地を痛める可能性があり、アジャスターを利用した場合は、ズボン等が変わると生地の厚さや留める部位が変わるため長さを調節するのが容易でない。また、輪状に形成したゴムは、靴を履いている場合、装着が困難であり靴を脱ぐ必要がある。【０００３】例えば、実開平６−２２３２５号公報には、キュロット留め具に関する技術が公開されているが面ファスナーを使用しているため、ズボン等の生地を痛める可能性等の課題がある。
【先行技術文献】
【特許文献】
【０００４】
【特許文献１】実開平６−２２３２５号
【発明の概要】
【発明が解決しようとする課題】
【０００５】本発明は、裾の幅が広いズボンやガウチョやキュロット等を着用してトイレを使用すると、ズボン等の裾がトイレの床や便器などに触れてしまうことがあるが、裾を容易に留める事により、それを未然に防止することが出来る用具を提供することにある。
【課題を解決するための手段】
【０００６】帯状の布からなる本体の一端に輪を設け、本体のもう一端にはフックを設けることを特徴とする。帯状の布は伸縮性のある素材を用いてもよい。【０００７】前記輪を複数設けることで、巻きつける太さに合せて調整できる。この場合、輪の位置を当間隔に設けてもよい。フックを掛ける輪の位置を変える事により、長さを変える事が出来、足のどの位置でも固定することが可能となる。【０００８】前記帯状の布に替えて、帯状のゴムを利用してもよい。ゴムの伸長率は適宜選択すればよい。
【発明の効果】
【０００９】本裾留め具を利用することにより、裾の幅の広いズボンなどの衣服の裾留めを行うことで、トイレの床や便器に裾が着くことを防ぐことが可能となる。
【図面の簡単な説明】
【００１０】
【図１】本発明の全体構成を示す一例の正面図
【図２】輪の形状を示す一例の斜視図
【図３】フックの形状を示す一例の斜視図
【図４】本発明の使用状態を示す斜視図
【発明の詳細な説明】
【００１１】本発明の詳細について、実施例を基に説明する。
【実施例】
【００１２】図１に示すように、帯状の布からなる本体１の一端に、フック５を掛ける輪３を設け、もう一端にはフック５を設ける。輪３はフック５が掛けられる形状を有していればよく、形状は限定されない。フック５は輪３に掛けることができる形状を有していればよく、形状は限定されない。輪３の形状がフック５を掛けられる、またはフック５の形状が、輪３に掛けられるよう対応できていればよい。図２に輪、図３にフックの一例を示す。【００１３】輪３は複数設けてもよい。これにより巻きつける足の太さや位置により、長さを調整することが可能となる。【００１４】本体となる帯状の布に伸縮性のある布や帯状のゴムを用いてもよい。伸縮性を持たせることで、装着した際の固定力や固定感が得られるようになる。【００１５】本裾留め具は、事前に足首または、ふくらはぎぐらいの位置に巻き付けて、フック５を輪３に掛け留めることで、裾を効果的に足に固定することが可能となり、トイレなどを利用した際に、下ろしたズボン等の裾が床に着くことを防止することができる。【００１６】本裾留め具は帯状であり足に巻き付けて利用するため、靴などを履いている場合にも、履物を脱がずに装着することが出来る。
【符号の説明】
【００１７】１  本体
２  左端
３  輪
４  右端
５  フック
【図１】
2019044314.tif 000003
【図２】
2019044314.tif 000004
【図３】
2019044314.tif 000005
【図４】
2019044314.tif 000006
(57)【要約】【課題】安価で入手が容易な材料を用いて量産化を図ることができる船底防汚塗料を提供する。【課題を解決するための手段】塗料に貝殻粉末、有機物焼却灰または有機物炭化物粉末を含む。貝殻粉末、有機物焼却灰または有機物炭化物粉末は、塗料に均等に混合されることが好ましい。貝殻粉末は２枚貝の貝殻粉末、特にシュウリ貝、アサリおよびシジミの１種または２種以上の貝殻粉末から成ることが好ましい。貝殻粉末は１００乃至３００メッシュの大きさが好ましい。有機物焼却灰は食物残さまたは木材の焼却灰から成っていてもよい。塗料に対する貝殻粉末、有機物焼却灰または有機物炭化物粉末の添加量は、２０乃至５０％が好ましい。【選択図】なし【特許請求の範囲】
【請求項１】
塗料に貝殻粉末、有機物焼却灰または有機物炭化物粉末を含むことを特徴とする船底防汚塗料。
【請求項２】
前記貝殻粉末はシュウリ貝、アサリおよびシジミの１種または２種以上の貝殻粉末から成ることを特徴とする請求項１記載の船底防汚塗料。
【請求項３】
前記貝殻粉末は１００乃至３００メッシュの大きさであることを特徴とする請求項２記載の船底防汚塗料。
【請求項４】
前記有機物焼却灰は食物残さまたは木材の焼却灰から成ることを特徴とする請求項１乃至３のいずれか１項に記載の船底防汚塗料。
【発明の詳細な説明】
【技術分野】
【０００１】
本発明は、船底防汚塗料に関する。
【背景技術】
【０００２】
従来、船底に付着した海藻や貝類を除去するため、船底にケレンをかけて付着物を剥離させていた。船底から付着物を除去した後は、貝類を死滅させる毒物を混ぜた塗料を船底に塗布し、貝類が付着するのを防止していた。しかし、塗料に毒物を用いることにより公害が発生するため、公害を引き起こさない船底防汚塗料が研究されてきた。
そのような船底防止塗料として、セラミックス等の遠赤外線放射物質と、トルマリン等のマイナスイオン放射物質と、ニンニク粉とを含有する船底の藻及び貝付着防止塗料が開示されている（例えば、特許文献１参照）。
【先行技術文献】
【特許文献】
【０００３】
【特許文献１】特開平８−２１８００４号公報
【発明の概要】
【発明が解決しようとする課題】
【０００４】
しかしながら、特許文献１に記載の船底の藻及び貝付着防止塗料では、トルマリンやニンニク粉などの材料を用いるため、材料費がかさむとともに大量の入手が難しく、量産化しにくいという課題があった。
【０００５】
本発明は、このような課題に着目してなされたもので、安価で入手が容易な材料を用いて量産化を図ることができる船底防汚塗料を提供することを目的とする。
【課題を解決するための手段】
【０００６】
上記目的を達成するために、本発明に係る船底防汚塗料は、塗料に貝殻粉末、有機物焼却灰または有機物炭化物粉末を含むことを特徴とする。
本発明に係る船底防汚塗料を船底に塗布した船では、走行中、塗料に貝殻粉末、有機物焼却灰または有機物炭化物粉末が含まれるため、塗布された船底防汚塗料が水との摩擦で剥離する。すなわち、貝殻粉末、有機物焼却灰または有機物炭化物粉末を塗料に混合させることにより、船底と塗料の接着強度を低下させ、剥離を促すことができる。このため、船底防汚塗料の表面に付着した海藻や貝類が船底防汚塗料とともに層状に剥離し、除去される。貝殻粉末や有機物焼却灰は安価で入手が容易なため、本発明に係る船底防汚塗料は量産化が容易である。
【０００７】
貝殻粉末、有機物焼却灰または有機物炭化物粉末には、廃棄物を利用してもよい。貝殻粉末、有機物焼却灰または有機物炭化物粉末は、塗料に均等に混合されることが好ましい。
前記貝殻粉末は２枚貝の貝殻粉末から成ることが好ましく、シュウリ貝、アサリおよびシジミの１種または２種以上の貝殻粉末から成ることが特に好ましい。この場合、海藻や貝殻が剥離しやすい。
【０００８】
前記貝殻粉末は１００乃至３００メッシュの大きさが好ましく、１９０乃至２１０メッシュの大きさであることが特に好ましい。この場合、海藻や貝殻が特に剥離しやすい
前記有機物焼却灰は食物残さまたは木材の焼却灰から成っていてもよい。この場合、廃棄物の有効利用を図ることができる。
塗料に対する貝殻粉末、有機物焼却灰または有機物炭化物粉末の添加量は、２０乃至５０％が好ましく、２５乃至３５％が特に好ましい。
【０００９】
塗料は、屋外塗料に用いられるいかなる塗料であってもよく、例えば、エポキシ樹脂塗料、ウレタン樹脂塗料、フッ素樹脂塗料、ポリエステル樹脂塗料、メラミン樹脂塗料、シリコン樹脂塗料、アクリル樹脂塗料などが挙げられる。塗料は、油性塗料であっても水性塗料であってもよい。塗料は、顔料その他の添加剤を含んでいてもよい。
【発明の効果】
【００１０】
本発明によれば、安価で入手が容易な材料を用いて量産化を図ることができる船底防汚塗料を提供することができる。
【実施例１】
【００１１】
市販の船底用加水分解型防汚塗料（製造元：日本ペイントマリン(株)、商品名：「うなぎ塗料1番」）に対し、３０体積％のシュウリ貝殻粉末を混合、攪拌して船底防汚塗料を製造した。シュウリ貝殻粉末は、２００メッシュ程度に粉末化した。製造した船底防汚塗料をボート（全長25フィート、最大速度25ノット）の船底に塗布した。塗布は、１回塗りで行った。
船底防汚塗料を塗布したボートは、海で通常どおり使用した。ボートは、塗布後１年６ヶ月の期間、海藻やフジツボその他の貝類が全く付着しなかった。一方、シュウリ貝殻粉末を加えなかった同じ塗料を塗布した漁船では、約６ヶ月で船底に海藻やフジツボなどの貝殻が相当量、付着した。
シュウリ貝殻粉末を加えなかった塗料を船底に使用した場合、１年に２回の塗布が必要となるのに対し、シュウリ貝殻粉末を加えた本実施例の塗料を使用した場合、１年半に１回の塗布で十分となる。
【実施例２】
【００１２】
市販の船底用加水分解型防汚塗料（製造元：日本ペイントマリン(株)、商品名：「うなぎ塗料1番」）に対し、３０体積％の有機物焼却灰を混合、攪拌して船底防汚塗料を製造した。有機物焼却灰には、木質系焼却灰を用いた。製造した船底防汚塗料をヨット（全長23ｍ、2ノット）の船底に塗布した。塗布は、１回塗りで行った。
船底防汚塗料を塗布したヨットは、海で通常どおり使用した。そのヨットには、塗布後１年６ヶ月の期間、海藻やフジツボその他の貝類が全く付着しなかった。一方、有機物焼却灰を加えなかった同じ塗料を塗布した漁船では、約６ヶ月で船底に海藻やフジツボなどの貝殻が相当量、付着した。
(57)【要約】【課題】電設工事の３段収縮はしごが重くて、運搬及びはしごの長さを伸ばす作業が不安定なので女性でも使える改全を計る【解決手段】収縮はしご最高部に回動自在に支えを付けて脚立のように自立させて。はしご最下部と支え最下部の開閉をトグルアームで制限する、そのトグルアームに車輪を付けて支えを開くとトグルが転回して車輪が回転し梯子の下に入りはしごを持ち上げる。しかしそのままでは戻ってしまうので支えとトグルの間に戻り止めのトリガートグルがキャスターの付いたトグルを押し下げ固定する。【選択図】図２
2019044559.tif 000002
【特許請求の範囲】
【請求項１】
重いはしごを運搬する時に、立てたまんま軽く移動させるために、はしごの下部と脚立状の支えの下部をトグル機構で支えの広がりを制限し、そのトグルの下にキャスターを取り付ける事で、支えを広げるとキャスターが回転し梯子の下に入り、はしごを持ち上げる構造にする。その状態を維持するのに支えからトグルにもう一つのトリガートグルで突っ張ってロックする。トリガートグルを、引くとロック解除でキャスターが引っ込み、立てた状態で、安全にはしごの長さを延長させられる。はしごや作業台のキャスターの取り付け方法
【発明の詳細な説明】
【技術分野】
【０００１】  本発明は、重い３段収縮はしごを移動する時はキャスターが出て軽く運搬して、目的地に着いて、トリガーを引くとキャスターが引っ込み。はしごを支えずにロープを引きはしごを延長した後はたたんでしまえるはしごの考案です。
【背景技術】
【０００２】。
はしごや、脚立が大きいサイズになると重いので車輪やキャスターを付けたいのですがいざ使用する時には車輪が有るので動いてしまう欠点があった。【０００３】  しかし、重いはしごや脚立や作業台を運搬しなければ成りませんそれでブレーキのついたキャスターを使うしか方法がないが、すべてのキャスターをロックして確認しても動かない信頼性が無く不安な欠点があった。【０００４】  一般的にはしごは自立していないので車輪は危険でブレーキ付車輪であっても危険なので取り付けられなかった。
【発明の開示】
【発明が解決しようとする課題】
【０００５】  解決しようとする問題点は、使用しない時に少ない収納スペースで納まりその上に、重いはしごや作業台を運搬する時だけキャスターが出て、はしごを持ち上げて運搬出来て、使用する為にはしごのロープを引いて長く伸ばす時には、自立した状態でキャスターが引っ込み、都合よくキャスターが出入りする点である。
【課題を解決するための手段】
【０００６】  本発明は、はしごに脚立状の支えを付けて自立できるようにして最下部のトグル機構で支えの開閉制限しそのトグルにキャスターを付ける事で支えが開いた時のトグルが伸びて回転すると横を向いていたキャスターが立ち、はしごを持ち上げ運搬する時だけ出る事を特徴とする。
【発明の効果】
【０００７】  本発明のキャスターが出入りするはしごは電設工事用の長いはしごは高所作業車の収納スペースに収納出来てなお且つ安全に力の弱い女性作業者が活躍できる利点がある。
【発明を実施するための最良の形態】
【０００８】  はしごの最高部に回動自在に脚立状の支えを固定し最下部に支えの開きすぎをトグル機構が伸びすぎを、制限しそのトグルにキャスターを付ける事で支えが開くとトグルが伸びてトグルの回転によりキャスターが出入りする事を実現した。【０００９】  しかしキャスターの付いたトグルは、押さえつけていないとまっすぐの状態が維持出来ない。その為に支えからトグルの最良の位置にロック用のトグルで、キャスターの付いたトグルの戻りを固定した。ロック用のトグルが、トリガーとなり支えの開閉の、固定。解除が簡単にできる。
【実施例１】
【００１０】  図１は、本発明はしごの収納する為小さく畳んだ状態を表しており、この状態で高所作業車に収納する【００１１】  図２は、脚立状に立てていっぱい広げると運搬用の、キャスター車輪がトグルアームの転回と共に立ち上がりはしごの下に入りはしごを持ち上げるので車輪が運搬する時だけ出る事になる。【００１２】  図３は梯子の下に車輪が入りはしごと支えの広がりを固定していたトリガートグルを引き突っ張りを解除すると。はしごの重さではしごが接地してはしごは自立を保ちながら車輪が引っ込むのではしごを支える事無くロープを引いてはしごの長さを延長する事が出来る例を示す。【００１３】図４は、はしごを延長した後支えを完全に収納して、たたみ使用している形を表している。なお、はしご上部は省略した。【００１４】  作業が終わると支えを広げ車輪が出ない位地ではしごを短くして、運搬する図２の形にして運び終わると図１の形で高所作業車の収納スペースに収める
【産業上の利用可能性】
【００１５】  電設作業が、きつい、重い、作業をより軽減する為一番重量のあるはしごの運搬を軽減できれば弱い男性だけでなく女性にも優しい、より良い作業環境で安全に作業が出来る。
【図面の簡単な説明】
【００１６】
【図１】  本考案の、長い梯子は３段収縮して支えを畳み高所作業車の収納場所にこの状態で収納されている説明図である。（実施例１）
【図２】  高所作業車から引出して、支えを広げて立ち上げるとキャスターが出ているので図２の状態で運搬する。説明図である。（実施例２）
【図３】  トリガートグルを引くとキャスターの付いたトグルが緩みはしごの重さではしごの足が接地するが、はしごは自立しているのではしごを支える事無く、ロープを両手で引きはしごの長さを延長できる。
【図４】  はしごを目的の長さにすればほんの少し角度を起こせば理想角度の７５度になる支えの長さに設定すればよい。横になった長いはしごを起こす時が一番力が必要です。本考案のはしごはその為、立てたまんま運搬しています。
【符号の説明】
【００１７】１  最高部の回動自在の支えの取り付け部
２  最下部のトグルの取り付け部
３  車輪の付いたトグルを戻らない様に押さえるトリガートグル
４  回動してはしごを持ち上げる車輪
５  支えの広がりを制限するトグル
【図１】
2019044559.tif 000003
【図２】
2019044559.tif 000004
【図３】
2019044559.tif 000005
【図４】
2019044559.tif 000006